(57)【要約】【課題】植木鉢、植木ポット、プランターなどの植栽容器において、植え替えが容易且つ迅速に行え、しかも植物を傷めることがないようにする。【解決手段】周壁体２と底板３とを有し、これら周壁体２と底板３とは分離され、周壁体２の下部には全周的に張り出すことにより底部開口６を形成させる底枠７が設けられ、この底枠７における張出端の上部と底板３との間に、底板３を植栽空間５の中央位置にセンタリングさせつつ脱落不能に係合し且つ係合状態とした底板３に下方から押し上げ力が作用したときには底板３を解放可能にする係脱手段３０が設けられている。【選択図】図１
0003120812.tif 000002
【実用新案登録請求の範囲】
【請求項１】
植栽空間（５）を全周から取り囲む状態に設けられた周壁体（２）と、植栽空間（５）の下部を仕切る状態で上記周壁体（２）内に設けられる底板（３）とを有し、これら周壁体（２）と底板（３）とは分離され、周壁体（２）の下部には上記植栽空間（５）へ向けて全周的に張り出すことによりその張出端全周で底板（３）より小さな底部開口（６）を形成させる底枠（７）が設けられており、この底枠（７）における張出端の上部と底板（３）との間に、底板（３）を植栽空間（５）の中央位置にセンタリングさせつつ脱落不能に係合し且つ係合状態とした底板（３）に下方から押し上げ力が作用したときには底板（３）を解放可能にする係脱手段（３０）が設けられていることを特徴とする植栽容器。
【請求項２】
前記底枠（７）は、底板（３）を支持する部分が周壁体（２）の下端より上方に設けられることで底板（３）の下方に底下空間（１２）を形成可能になっており、底板（３）には板厚方向に貫通する目皿孔（２３）が設けられていることを特徴とする請求項１記載の植栽容器。
【請求項３】
前記底枠（７）は、周壁体（２）の下端から植栽空間（５）へ向けて張り出す枠状座部（１１）と、この枠状座部（１１）の内周縁で立ち上がる枠状壁部（１０）とを有することで周壁体（２）の下部周部と共同して載置脚（１３）を形成させており、この載置脚（１３）には、底下空間（１２）と周壁体（２）外部とを連通させる全通孔（１７）が設けられていることを特徴とする請求項２記載の植栽容器。
【請求項４】
前記周壁体（２）において載置脚（１３）を形成している部分には、載置脚（１３）の内部にできる脚内空洞（１５）と周壁体（２）外部とを連通させる外通孔（１８）が設けられていることを特徴とする請求項３記載の植栽容器。
【請求項５】
前記周壁体（２）には、その上周部に近接して支柱安定材の止め付け孔（２０）が設けられていることを特徴とする請求項１乃至請求項４のいずれかに記載の植栽容器。
【考案の詳細な説明】
【技術分野】
【０００１】
本考案は、植木鉢、植木ポット、プランターなどの植栽容器に関するものである。
【背景技術】
【０００２】
植木鉢、植木ポット、プランターなどの植栽容器に植物を植える際、水溶性の内容器を使ってその容易性を高めるようにした技術が提案されている（特許文献１等参照）。
【特許文献１】特開２００４−２３６５０９号公報
【考案の開示】
【考案が解決しようとする課題】
【０００３】
購入等してきた植物を最初に植栽容器へ植える段階では上記従来の技術を採用することも可能ではあるが、植栽後しばらくして植物の成長に伴い植え替えをする場合に、この技術を活用することはできない。
この植え替えの際、植栽容器の培養土中で植物の根詰まりが起こったことが原因となり、植栽容器の周囲をトントンと軽く叩く程度の常套手段を取っても、植栽容器から植物を取り出すことができないといったことは、多くの者が経験するところとなっている。
【０００４】
ここで無理矢理に植物を引き抜くようなことをすれば、根を傷めてしまい、植物を駄目にしてしまうおそれもある。
本考案は、上記事情に鑑みてなされたものであって、植木鉢、植木ポット、プランターなどの植栽容器において、植え替えが容易且つ迅速に行え、しかも植物を傷めることがないようにした植栽容器を提供することを目的とする。
【課題を解決するための手段】
【０００５】
前記目的を達成するために、本考案は次の手段を講じた。
即ち、本考案に係る植栽容器は、植栽空間を全周から取り囲む状態に設けられた周壁体と、植栽空間の下部を仕切る状態で上記周壁体内に設けられる底板とを有し、これら周壁体と底板とは分離され、周壁体の下部には上記植栽空間へ向けて全周的に張り出すことによりその張出端全周で底板より小さな底部開口を形成させる底枠が設けられており、この底枠における張出端の上部と底板との間に、底板を植栽空間の中央位置にセンタリングさせつつ脱落不能に係合し且つ係合状態とした底板に下方から押し上げ力が作用したときには底板を解放可能にする係脱手段が設けられている。
【０００６】
このような構成であれば、植え替えの際には周壁体に対して底板を相対的に持ち上げるようにすることで、底板を介して植栽空間（周壁体で取り囲まれた部分）に詰められた培養土及び植物を、底板ごと持ち上げることができる。従って植え替えが容易且つ迅速に行えるものであり、また植物を傷めることもない。
なお、周壁体の底枠に対して底板は係脱手段を介して係合状態とさせることができるので、この植栽容器を流通する段階において、周壁体と底板とが別々に分離してしまうことを防止でき、これによって底板の欠品を防止できる利点に繋がる。
【０００７】
底枠は、底板を支持する部分が周壁体の下端より上方に設けられることで底板の下方に底下空間を形成可能になっており、底板には板厚方向に貫通する目皿孔を設けるのが好適である。
このようにすることで底板からの水はけ機能や換気機能を高めることができ、植栽した植物の成長を促すことができる。
【０００８】
底枠は、周壁体の下端から植栽空間へ向けて張り出す枠状座部と、この枠状座部の内周縁で立ち上がる枠状壁部とを有することで周壁体の下部周部と共同して載置脚を形成させることができる。この場合、載置脚には、底下空間と周壁体外部とを連通させる全通孔を設けておく。
このようにすることで、底下空間と周壁体外部（植栽容器の外部）との間でも水はけ機能や換気機能を高めることができ、植栽した植物の成長を促すことができる。
【０００９】
周壁体において載置脚を形成している部分には、載置脚の内部にできる脚内空洞と周壁体外部とを連通させる外通孔が設けられている。
このようにすることで、脚内空洞と周壁体外部（植栽容器の外部）との間でも水はけ機能や換気機能を高めることができ、植栽した植物の成長を促すことができる。
周壁体には、その上周部に近接して支柱安定材の止め付け孔を設けることができる。このような止め付け孔を設けておけば、支柱を立てる場合、この支柱と止め付け孔との間を例えば針金や紐、結束バンドなどの支柱安定材によって連結できることになり、支柱を安定的に立設させることができる。このような支柱は、菊などを育てるうえで有益となる。
【考案の効果】
【００１０】
本考案に係る植栽容器では、植え替えが容易且つ迅速に行え、しかも植物を傷めることがない。
【考案を実施するための最良の形態】
【００１１】
以下、本考案の実施の形態を、図面に基づき説明する。
図１乃至図９は、本考案に係る植栽容器１の一実施形態を示している。図４から明らかなように、この植栽容器１は、互いに分離された周壁体２と底板３とを有したもので、周壁体２内へ底板３を嵌め入れた状態にして使用する。周壁体２及び底板３のいずれも、ポリプロピレン等の樹脂により形成することができる。
【００１２】
周壁体２は、培養土を入れ且つ植物の根を植えるための植栽空間５を全周から取り囲む状態に設けられている。周壁体２の上周部には外方へ折り返すようにしてフランジ部４が設けられており、剛性を高めてある。
本実施形態において周壁体２は、短円筒形をした所謂、植木鉢と呼ばれるものとしてあり、従ってこの周壁体２は円周壁として形成されている。ただ周壁体２は、プランターと呼ばれるもの（大型であったり方形箱形であったりするタイプ）や、ポットと呼ばれるもの（比較的小型であったり膨らみのある曲面形であったりするタイプ）などとしてもよく、これらに応じてその形状や大きさなど種々様々な態様が採用される。
【００１３】
この周壁体２の底部には大きな底部開口６が形成されており、底抜けの状態になっている。この底部開口６は、周壁体２の下部から植栽空間５へ向けて全周的に底枠７が張り出す状態に設けられることで、この底枠７の張出端全周により形成されている。この底部開口６は底板３よりも小さなサイズとされ、底板３が底部開口６を介して周壁体２から脱落してしまうことはない。
【００１４】
底枠７は、周壁体２の下端から植栽空間５へ向けて張り出す枠状座部１０と、この枠状座部１０の内周縁で立ち上がる枠状壁部１１とを有して立体的に形成されており、この枠状壁部１１の上端部で底板３を支持するようになっている。
なお、このように底枠７が枠状壁部１１の立ち上がり分を有して立体的に形成され、この枠状壁部１１の上端部で底板３が支持されることになるので、周壁体２の下部周部を地面などへ設置した場合には底板３の下方に底下空間１２が形成されることになる。またこのとき周壁体２の下部周部は、底枠７（枠状座部１０及び枠状壁部１１）と共同して内部が空洞（以下「脚内空洞１５」と言う）で、ある程度の厚みを有した載置脚１３を形成することになる。
【００１５】
この載置脚１３は、上記したように周壁体２の下部周部と底枠７の枠状座部１０との曲がり部分を有し、更にこの底枠７においても枠状座部１０と枠状壁部１１との曲がり部分を有し、周壁体２の下部周部と底枠７の枠状壁部１１とで二重壁となるような断面構造であるので、剛性が高く、周壁体２として変形などを生じさせない強い強度が得られている。
【００１６】
なお、図３及び図５に示すように本実施形態では、周壁体２の下部周部と底枠７の枠状座部１０との曲がり部分に対し、周壁体２の周方向において複数箇所（図例では１２０°おきの計３箇所）に補強リブ１６を設けて更なる強度アップを図っている。
図２乃至図５に示すように、この載置脚１３には、底下空間１２と周壁体２の外部とを連通させる全通孔１７が設けられている。本実施形態においてこの全通孔１７は、周壁体２の下端部及び底枠７における枠状壁部１１の周方向同一箇所を、上方へ向けて半円状又は方形状等に切り欠くようにすると共に、この切欠形状に合わせて底枠７の枠状座部１０を上方へ湾曲させるようにすることで形成してある。またこの全通孔１７は、周壁体２の周方向において複数箇所（図例では１２０°おきの計３箇所）に設けてある。
【００１７】
更にこの載置脚１３には、周壁体２の下部を貫通して脚内空洞１５と周壁体２外部とを連通させる外通孔１８が設けられている。本実施形態においてこの外通孔１８は、周壁体２の下部だけでなく底枠７の枠状座部１０にも及んで開口するスリット状開口として形成され、各全通孔１７に対してその両脇に振り分け配置させるようにした。
周壁体２にはその上周部に近接して止め付け孔２０が設けられている。この止め付け孔２０は、植栽空間５へ培養土を入れた状態でこの培養土へ支柱を突き刺し、立てる場合にあって、この支柱を安定的に立設させるため、支柱と止め付け孔２０との間を針金や紐、結束バンドなどの支柱安定材（図示略）で連結させるためのものである。
【００１８】
一方、図３、図４、図６、図７に示すように、上記底板３は、植栽空間５の下部を仕切る状態で上記周壁体２内に設けられるもので、この底板３を設けることで周壁体２に形成された底部開口６は蓋をされる状態となる。本実施形態では周壁体２が短円筒形に形成されていることに伴い、底部開口６の開口形状や底枠７の平面視外郭形状が円形となるから、この底板３も円板形に形成されている。
【００１９】
この底板３には板厚方向に貫通する目皿孔２３が設けられており、底部開口６に蓋をする状態にしたとしても、底部開口６が完全に閉塞されることはなく、水や空気の流通は許容される。即ち、植栽空間５は、底板３に設けられた目皿孔２３を介して、上記底下空間１２との間で水はけ機能や換気機能が保持されることになる。
本実施形態において目皿孔２３の多くは長丸状の開口形状をして、その長手方向を底板３の径方向へ向けつつ、底板３の中心から放射状で且つ同心二重円状の配置に多数設けられているものとした。また一部の目皿孔２３は大型で且つ扇形状の開口形状をして、底板３の中心部にて円周配置とした。
【００２０】
なお、この底板３の裏面には補強リブ２５が放射状に設けられ、板面に極端な撓み変形が起こらないようにしてある。
この底板３は、周壁体２における底枠７の張出端（上記枠状壁部１１の上端部）にて支持されるが、図９に示すように、これら底枠７の張出端と底板３との間では係脱手段３０が形成される。
【００２１】
この係脱手段３０は、周壁体２の底枠７に設けられた第１係合部３１と、底板３に設けられた第２係合部３２との組み合わせによって形成されるものであって、底板３を周壁体２の植栽空間５に対してその中央位置にセンタリングさせる作用と、周壁体２に対して底板３を脱落不能に係合保持させる作用、及びこの係合状態とした底板３に下方から押し上げ力が作用したときに周壁体２から底板３を比較的簡単に解放できるようにする作用とを奏する。
【００２２】
第１係合部３１や第２係合部３２の具体構造については何ら限定されるものではない。本実施形態において第１係合部３１は、底枠７における枠状壁部１１の上端部全周から径方向内方へ折曲状に突出するフックリブ３３を有したものとして形成してある。
これに対して第２係合部３２（図８参照）は、底板３の外周部全周に設けられた折曲リブ３５と、この折曲リブ３５の内側で第１係合部３１の嵌合用溝３６を保持して同心円状に設けられた内周リブ３７と、この内周リブ３７から折曲リブ３５へ向けて突出することで第１係合部３１と係合離脱可能とされた筋状突起３８とを有して形成されている。
【００２３】
筋状突起３８は、底板３における外周部の周方向複数箇所（図例では１２０°おきの計３箇所）にだけ、点在状に設けられたものとしてあり、これら筋状突起３８が設けられる部位では、その製造上の便宜（脱型）から底板３を板厚方向へ貫通する円弧孔４０が形成されている。
このような構造の第１係合部３１と第２係合部３２とでは、第２係合部３２の折曲リブ３５と内周リブ３７との間で周溝として形成された嵌合用溝３６に対し、リング壁状に形成された第１係合部３１が嵌められることで、周壁体２の植栽空間５に対する底板３のセンタリング作用が得られ、第１係合部３１のフックリブ３３が第２係合部３２の筋状突起３８を乗り越えることで、周壁体２に対する底板３の係合保持（脱落阻止）作用が得られるものである。この係合保持状態において、周壁体２と底板３との相対的な回転位置は何ら制限されるものではない。
【００２４】
また、周壁体２に対する底板３の係合保持状態から底板３に離脱方向（図９で上方向き）の外力を付加すると、第１係合部３１のフックリブ３３が第２係合部３２の筋状突起３８を上記とは逆方向に乗り越えることになり、周壁体２に対する底板３の解放作用が得られるものである。
以上詳説したように本考案に係る植栽容器１では、図４に示したように周壁体２に対して底板３を係合保持させた状態として流通されるものであり、この間、係脱手段３０によって両者が分離することがないように保持される。そのため、エンドユーザーに届く段階で底板３が欠品となっていることはない。また実際に植物を植える段階で、底板３が意に反して外れてしまうようなこともなく、植栽作業の障害となることもない。
【００２５】
図１（Ａ）に示すように植栽期を経て大きく成長した植物５２を植え替えするに際しては、図１（Ｂ）に示すように周壁体２の底部開口６を通過するような小型の煉瓦ブロックや他の植木鉢等を台５０に使い、この台５０の上方へ植栽容器１を持ち上げる。
そして台５０の上部に底板３が当接するようにし、図１（Ｃ）に示すように周壁体２をそのまま押し下げる。これにより、係脱手段３０において周壁体２に対する底板３の解放作用が生じ、底板３を介して植栽空間（周壁体２で取り囲まれた部分）に詰められた培養土５１及び植物５２が台５０上に残り、周壁体３だけが下降する。すなわち、下降した周壁体２からすれば、植栽空間５に詰められた培養土５１及び植物５２が、植物５２（根はもとより、植物５２自体）を何ら傷めることなく底板３ごと持ち上げられる状態となる。
【００２６】
このようにして以後、植え替えを行えばよい。
なお、植栽中、底板３に目皿孔２３が設けられ、周壁体２の下部に全通孔１７や外通孔１８が設けられていることから、周壁体２の内部（植栽空間５）や脚内空洞１５は、底下空間１２を介して周壁体２外部（植栽容器１の外部）と連通状態にあり、水はけ機能や換気機能が十分に得られることになるので、根腐れなど起こすことなく、植栽した植物５２の成長が促される。
【００２７】
植物５２の成長がある程度進んだ段階で支柱を立てる場合、周壁体２の止め付け孔２０を利用して支柱（図示略）と止め付け孔２０との間を針金や紐、結束バンドなどの支柱安定材（図示略）で連結すれば、支柱を安定的に立設できることになる。支柱は、殊に菊などを育てるうえで有益となる。支柱は、棒状をしたものの他、柵状に形成されたトレリスや籠状に形成されたオベリスクなどを含む。
【００２８】
ところで、本考案は、上記実施形態に限定されるものではなく、実施の形態に応じて適宜変更可能である。
【図面の簡単な説明】
【００２９】
【図１】植栽容器の使用状況を説明した側面図である。
【図２】本考案に係る植栽容器の一実施形態を示した側面図である。
【図３】図１に対応する平面図である。
【図４】図３のＡ−Ａ線断面図である。
【図５】周壁体を示した平面図である。
【図６】底板を示した平面図である。
【図７】図６に対応した背面図である。
【図８】図７のＢ部拡大図である。
【図９】図４のＣ部拡大図である。
【符号の説明】
【００３０】
１  植栽容器
２  周壁体
３  底板
５  植栽空間
７  底枠
１０  枠状壁部
１１  枠状座部
１２  底下空間
１３  載置脚
１５  脚内空洞
１７  全通孔
１８  外通孔
２０  止め付け孔
２３  目皿孔
３０  係脱手段
【図１】
0003120812.tif 000003
【図２】
0003120812.tif 000004
【図３】
0003120812.tif 000005
【図４】
0003120812.tif 000006
【図５】
0003120812.tif 000007
【図６】
0003120812.tif 000008
【図７】
0003120812.tif 000009
【図８】
0003120812.tif 000010
【図９】
0003120812.tif 000011